【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
モバイル・ユーザ装置（ＵＥ）送信電力を制限する方法であって、
ネットワークからネットワーク信号値を受信することと、
前記ネットワーク信号値、送信チャネルの中心周波数、割り振られたリソース・ブロックの数、および前記チャネル内の前記割り振られたリソース・ブロックのロケーションに基づいて、送信信号電力を低減することと、を備え、前記リソース・ブロックは、周波数のスパンを占有し、およびリージョナル・プロトコルは、連続した割り振られたリソース・ブロックの対応する長さのために有効でないリソース・ブロックを特定し、前記送信信号電力を前記低減することは、有効でない前記特定されたリソース・ブロックのうちの１つが送信のためにスケジューリングされるときに生じることを特徴とする、方法。
【請求項２】
前記低減は、ルールに基づいた決定プロセスによってトリガーされる、請求項１に記載の方法。
【請求項３】
前記低減することは、最大に設定された出力電力制限を低減することを備える、請求項１に記載の方法。
【請求項４】
前記送信信号電力を前記低減することは、送信信号電力における別の低減を補完するものであり、送信信号電力における前記別の低減は、前記チャネル内の前記割り振られたリソース・ブロックの前記ロケーションではなく前記ネットワーク信号値に基づく、請求項１に記載の方法。
【請求項５】
前記送信信号電力の補完的な前記低減は、前記ＵＥにおける不揮発性のメモリに記憶される、請求項４に記載の方法。
【請求項６】
前記送信信号電力の補完的な前記低減は、ＵＥ設計の特性測定に基づいて設定可能である、請求項４に記載の方法。
【請求項７】
前記送信信号電力の補完的な前記低減は、前記ネットワーク信号値に基づく送信信号電力における前記別の低減より大きい、請求項４に記載の方法。
【請求項８】
リージョナル・プロトコルに違反して基地局にリソース・ブロックを送信することをさらに備える、請求項１に記載の方法。
【請求項９】
前記リージョナル・プロトコルに準拠していない前記基地局に起因して前記リソース・ブロックを送信することをさらに備える、請求項８に記載の方法。
【請求項１０】
前記リージョナル・プロトコルに準拠していない前記ＵＥに起因して前記リソース・ブロックを送信することをさらに備える、請求項８に記載の方法。
【請求項１１】
前記基地局から前記ＵＥに送信されるスケジュールの前記ＵＥにおける誤った解釈に起因して、前記リソース・ブロックを送信することをさらに備える、請求項８に記載の方法。
【請求項１２】
前記ネットワーク信号値はＮＳ＿０５である、請求項１に記載の方法。
【請求項１３】
前記ＵＥは、ＮＳ＿０５の前記ネットワーク信号値を受信するためにローミング・モードで動作可能である、請求項１に記載の方法。
【請求項１４】
請求項１に記載の方法を行うための手段を備えるワイヤレス・デバイス。
【請求項１５】
コンピューティング・マシンにおいて実行されるとき、請求項１に記載の方法を行うソフトウェア・プログラムを記憶する不揮発性の記憶媒体。
【手続補正２】
【補正対象書類名】明細書
【補正対象項目名】００６９
【補正方法】変更
【補正の内容】
【００６９】
[0074]  上述の説明は、特定の実施形態の態様がどのように実施され得るかについての例と共に、本開示のさまざまな実施形態を示す。上記の例は、単なる実施形態であると見なされるべきではなく、下記の請求項によって定義されるような特定の実施形態の有効性および柔軟性を例示するために、示されている。上記の開示および下記の請求項に基づいて、他の配列、実施形態、実施およびそれらと同等のものが、請求項によって定義されている本開示の範囲から逸脱しないで使用され得る。
以下に、本願の出願当初の特許請求の範囲に記載された発明を付記する。
［Ｃ１］
モバイル・ユーザ装置（ＵＥ）送信電力を制限する方法であって、
ネットワークからネットワーク信号値を受信することと、
前記ネットワーク信号値、送信チャネルの中心周波数、割り振られたリソース・ブロックの数、および前記チャネル内の前記割り振られたリソース・ブロックのロケーションに基づいて、送信信号電力を低減することと、を備える方法。
［Ｃ２］
特定のリソース・ブロックは、周波数のスパンを占有し、およびリージョナル・プロトコルは、連続した割り振られたリソース・ブロックの対応する長さのために有効でないリソース・ブロックを特定し、前記送信信号電力を前記低減することは、有効でない前記特定されたリソース・ブロックのうちの１つが送信のためにスケジューリングされるときに生じる、Ｃ１に記載の方法。
［Ｃ３］
前記低減することは、ルールに基づいた決定プロセスによってトリガーされる、Ｃ１に記載の方法。
［Ｃ４］
前記低減することは、最大に設定された出力電力制限を低減することを備える、Ｃ１に記載の方法。
［Ｃ５］
前記送信信号電力を前記低減することは、送信信号電力における別の低減を補完するものであり、送信信号電力における前記別の低減は、前記チャネル内の前記割り振られたリソース・ブロックの前記ロケーションではなく前記ネットワーク信号値に基づく、Ｃ１に記載の方法。
［Ｃ６］
前記送信信号電力の補完的な前記低減は、前記ＵＥにおける不揮発性のメモリに記憶される、Ｃ５に記載の方法。
［Ｃ７］
前記送信信号電力の補完的な前記低減は、ＵＥ設計の特性測定に基づいて設定可能である、Ｃ５に記載の方法。
［Ｃ８］
前記送信信号電力の補完的な前記低減は、前記ネットワーク信号値に基づく送信信号電力における前記別の低減より大きい、Ｃ５に記載の方法。
［Ｃ９］
前記ＵＥは、リージョナル・プロトコルに違反して基地局にリソース・ブロックを送信するように構成されている、Ｃ１に記載の方法。
［Ｃ１０］
前記ＵＥは、前記リージョナル・プロトコルに準拠していない前記基地局に起因して前記リソース・ブロックを送信するように構成されている、Ｃ９に記載の方法。
［Ｃ１１］
前記ＵＥは、前記リージョナル・プロトコルに準拠していない前記ＵＥに起因して前記リソース・ブロックを送信するように構成されている、Ｃ９に記載の方法。
［Ｃ１２］
前記ＵＥは、前記基地局から前記ＵＥに送信されるスケジュールの前記ＵＥにおける誤った解釈に起因して、前記リソース・ブロックを送信するように構成されている、Ｃ９に記載の方法。
［Ｃ１３］
前記ネットワーク信号値はＮＳ＿０５である、Ｃ１に記載の方法。
［Ｃ１４］
前記ＵＥは、ＮＳ＿０５の前記ネットワーク信号値を受信するためにローミング・モードで動作可能である、Ｃ１に記載の方法。
［Ｃ１５］
送信機と、
受信機と、
前記受信機によって基地局からネットワーク信号値を受信し、前記ネットワーク信号値、送信チャネルの中心周波数、割り振られたリソース・ブロックの数、および前記チャネル内の前記割り振られたリソース・ブロックのロケーションに基づいて前記送信機における送信信号電力を低減するように構成されているデジタル処理回路と、
を備えるワイヤレス・デバイス。
［Ｃ１６］
前記ＵＥは、リージョナル・プロトコルに違反して基地局にリソース・ブロックを送信するように構成されている、Ｃ１５に記載のワイヤレス・デバイス。
［Ｃ１７］
前記送信信号電力を前記低減することは、送信信号電力における別の低減を補完するものであり、送信信号電力における前記別の低減は、前記チャネル内の前記割り振られたリソース・ブロックの前記ロケーションではなく前記ネットワーク信号値に基づく、Ｃ１５に記載のワイヤレス・デバイス。
［Ｃ１８］
不揮発性の記憶媒体上に記憶されたソフトウェア・プログラムであって、モバイル・ユーザ装置（ＵＥ）のコンピューティング・マシンにおいて実行されるとき、
ネットワークからネットワーク信号値を受信することと、
前記ネットワーク信号値、送信チャネルの中心周波数、割り振られたリソース・ブロックの数、および前記チャネル内の前記割り振られたリソース・ブロックのロケーションに基づいて、送信信号電力を低減することと、
を備える、ＵＥ送信電力を制限するための工程を実施する、ソフトウェア・プログラム。
［Ｃ１９］
前記ＵＥは、リージョナル・プロトコルに違反して基地局にリソース・ブロックを送信するように構成されている、Ｃ１８に記載のソフトウェア・プログラム。
［Ｃ２０］
前記送信信号電力を前記低減することは、送信信号電力における別の低減を補完するものであり、送信信号電力における前記別の低減は、前記チャネル内の前記割り振られたリソース・ブロックの前記ロケーションではなく前記ネットワーク信号値に基づく、Ｃ１８に記載のソフトウェア・プログラム。